(57)【要約】【目的】磁石の配列と鋼球の磁性体への変態により磁場を拡張し大口径の配管や、汚れの残留を嫌う流体を効果的に磁気処理をする磁場拡張器と磁場拡張方法を提供する。【構成】貫通穴を有する筒内部に鋼球を投入し、貫通穴を有する二組蓋で固着し構成する磁気拡張器及び磁石を装着した仕切り板を内設した貫通穴を有する筒内部に鋼球を投入し、貫通穴を有する二組の蓋を固着し構成する磁石内蔵式磁場拡張器。磁石の配列とその磁気により鋼球を磁性体に変態させ均一で安定した磁場の拡張方法。【選択図】  図１
2004209455.tif 000002
【特許請求の範囲】
【請求項１】
広範囲に渡り貫通穴を有する筒内部に鋼球を投入したのち、広範囲に渡り貫通穴を有する蓋を筒の両端にそれぞれ固着し構成する磁場拡張器。
【請求項２】
【請求項１】で構成された磁場拡張器へ外部より磁気を与え内部に封入された鋼球を磁性体に変態させ、広範囲に渡り磁場を拡張する磁場の拡張方法。
【請求項３】
広範囲に渡り貫通穴を有する筒内部に磁石を装着した仕切り板を固着し筒内部と仕切り板間に形成された空間に鋼球を投入したのち、広範囲に渡り貫通穴を有する蓋を筒の両端にそれぞれ固着し構成する磁石内蔵式磁場拡張器。
【請求項４】
【請求項３】で構成された磁石内蔵式磁場拡張器へ筒外部と仕切り板に装着された磁石とその配列により発生する磁気の作用により、内部に封入された鋼球を磁性体に変態させ広範囲に渡り磁場を拡張する磁場の拡張方法。
【請求項５】
【請求項３】で構成された磁石内蔵式磁場拡張器内部の仕切り板に装着された磁石とその配列により発生する磁気の作用により、封入された鋼球を磁性体に変態させ広範囲に渡り磁場を拡張する磁場の拡張方法。
【請求項６】
磁石とその配列による磁場により磁性体に変態した鋼球間に発生する磁場を均等にする拡張磁場の安定化方法。
【発明の詳細な説明】
【０００１】
【発明の属する技術分野】
本発明は、磁石とその配列により発生する磁気により鋼球を磁性体に変態させ広範囲に渡り均等に磁場を拡張し、その拡張された磁場で水等の流体を磁気処理する磁場拡張器及び磁石配列と鋼球の磁性体化による磁場の拡張方法関するものである。
【０００２】
【従来の技術】
従来水等の流体を磁気処理する技術手段は多様な方法がある。例えば、磁気処理器内部に鋼球を内接し磁気処理をする方法（特開平０７−０５１６７９号公報参照）、分割式の磁気処理器によりパイプを挟み込み磁気処理する方法（特開２００２−６６５６４号公報参照）、中空状の大きさの異なる磁石を同一面に配列しこの間に形成された隙間に水を通過させ磁気処理をする方法（ポーラウォータコンディショナーカタログ参照）、電磁石をパイプ内部若しくは外部に装着し磁気処理をする方法（水の磁気処理、ヴェ・イ・クラッセン著）などがある。
【０００３】
以下参考文献を記載する。
【特許文献１】特開平０７−０５１６４９号公報
【特許文献２】特開２００２−６６５６４号公報
【非特許文献１】ポーラウォータコンディショナーカタログ、ポーラインターナショナル社
【非特許文献２】水の磁気処理、ヴェ・イ・クラッセン著文献
【０００４】
【発明が解決しようとする課題】
従来水等の流体を磁気処理する場合、最も効果的にする定義として磁場間の隙間の寸法と磁場間の磁束密度の問題がある。これは、磁場間の表面磁束密度は０．４ｍＴ以上必要であると同時に、均一で安定した磁束密度を維持しなければならないと同時に、その隙間の寸法が５ｍｍ以下でなければならずそれ以上隙間が大きくなると磁束密度の強さが３乗に反比例する。
【０００５】
また、水等の流体を効果的に磁気処理をするには、常に磁場間に対して直角に通過しなければ効果は低下することも重要な定義として提起されている。
【０００６】
この定義を満足する磁気処理器は前項に記載した技術手段、特開平０７−０５１６７９号公報及びポーラウォータコンディショナーカタログに掲載されている磁石の配列がそれである。
【０００７】
このとから、特開２００２−６６５６４号公報やこれらに類似する技術手段での磁気処理効果は、一応の効果は得られるものの磁気処理における定義を十分満足していないため一般ユーザーが期待するほどの効果を満足することは極めて困難であると言えることができる。
【０００８】
これらの定義を無視して効果的な磁気処理を満足する技術手段として、水の磁気処理（ヴェ・イ・クラッセン著）の文献に掲載されている電磁石を利用した方法がある。この場合電流の調整により表面磁束密度の強さの調整は自由に調整できるため、ある程度磁場間の隙間の問題は解消されるものの期待通りの効果を得るには、やはり疑問がある。
【０００９】
この技術手段を採用した場合の問題点として、磁気処理をする際に電磁石に供給する電力の経費、強力な磁場及び電磁波などによる人体及び環境に対する影響などを考えた場合大きな問題として提起する事ができる。
この結果、この技術手段の採用による磁気処理は総合的にみて大きな問題を残す事になる。
【００１０】
このことから電磁石を採用した方法による磁気処理よりも永久磁石を採用した方が維持する際の経費的な面、安全性の面から見た場合有効な技術手段である。
【００１１】
大口径の配管に対応する磁気処理器は理論上可能であるが、磁気処理器を製作する場合特殊な仕様の構成要素が不可欠になるため製作する際の経費が高額になるといった問題が提起できる。
【００１２】
しかし現実問題として、永久磁石を採用した磁気処理器は磁石の持つ表面磁束密度の大きさに限界があること、同時に大きな形状の磁石を容易に入手できないことから大口径の配管の磁気処理に対応できないと言った極めて大きな問題が未だに解決されていないのが現状であることから、この問題を解決する事が急務になる。
本発明はこれらの諸問題を解決するものである。
【００１３】
【課題を解決するための手段】
上記課題を解決するために本発明は、広範囲に渡り貫通穴１０Ａを有する筒１Ａ内部に鋼球を投入したのち、広範囲に渡り貫通穴１０Ｂ、１０Ｃを有する蓋２Ａ、２Ｂを筒１Ａの両端に固着し構成することにより請求項１に記載する磁場拡張器５０を得る。
【００１４】
外部より磁気を与えることにより筒１Ａ内部に封入された鋼球３Ａが磁性体に変態しその隣り合う隙間に磁場が発生し磁場の拡張をする。
【００１５】
広範囲に渡り貫通穴１０Ｄを有する筒１Ｂ内部に磁石２１を装着した仕切り板２０を固着し筒１Ｂ内部と仕切り板２０間に形成された空間に鋼球３Ｂを投入したのち、広範囲に渡り貫通穴１０Ｅ、１０Ｆを有する蓋２Ｃ、２Ｄを筒１Ｂの両端に固着し構成することにより請求項３に記載する磁石内蔵式磁場拡張器６０を得る。
【００１６】
磁石内蔵式磁場拡張器６０の構成要素である筒１Ｂへ、外部と仕切り板２０に装着された磁石２１とその配列により発生する磁気により、内部に封入された鋼球３Ｂを磁性体に変態させ広範囲に渡り磁場を拡張する磁場を拡張する。
【００１７】
磁石内蔵式磁場拡張器６０内部の仕切り板２０に装着された磁石２１とその配列により発生する磁気の作用により、封入された鋼球３Ｂを磁性体に変態させ筒１Ｂ内部を広範囲に渡り磁場を拡張する磁場を拡張する。
【００１８】
磁石２０とその配列を一定の間隔で配列する事で、磁性体に変体した鋼球３Ａ、３Ｂの表面磁束密度を均等にし安定した拡張磁場を得る。
【００１９】
【発明の実施の形態】
以下本発明を添付図面に沿って説明していく。
【００２０】
図１において、筒１Ａには広範囲に渡って貫通穴１０Ａがあいているので、ここから水等の流体の給・排を可能にしている。また、筒１Ａは鋼球３Ａを内部に封入する役割を果たしている。筒１Ａの貫通穴１０Ａは広範囲に渡り存在しているので鋼球３Ａによる貫通穴１０Ａの詰まりの影響を考慮している。
【００２１】
また、蓋２Ａ、２Ｂには広範囲に渡って貫通穴１０Ｂ、１０Ｃも筒１Ａと同様の役割を果たしている。これらを筒１Ａの両端に固着する事で鋼球３Ａを内部に封入した磁場拡張器５０を構成する。
【００２２】
ここで構成された磁場拡張器５０自体には磁場は発生していないが、筒１Ａの外部より磁気を与える事により封入された鋼球３Ａが磁性体へと変態し隣り合う鋼球３Ａ間で広範囲に渡り磁場を拡張する事が出来る。
この結果、外部から磁気を与える事により効果的に磁気処理を行う事が出来ると同時に、磁気を排除することで鋼球３Ａの洗浄も容易になる。
【００２３】
このことから、塗料等の粘性の高い流体を磁気処理したのち汚れの残留を嫌う流体に対して活用する事が出来る。よって、このような状況下の問題に対しても十分対処できるため流体の磁気処理の多様化をはかることができる。
【００２４】
また、蓋２Ａ、２Ｂの固定方法を脱着出来る構造にて固着することで筒１Ａ内部に封入された鋼球３Ａを交換する事が出来るようになる。
【００２５】
図２、図３において、磁石内蔵式磁場拡張器６０の基本的な構成は磁場拡張器５０と類似する点が多いため、共通点の詳細な説明は省略しその相違点について述べることにする。
【００２６】
仕切り板２０には磁石２１が装着されており、一定の配列を維持できるように固着されている。この結果、仕切り板２０には磁石２１の固着された範囲で磁気拡張因子を形成している。
【００２７】
このように構成された仕切り板２０を筒１Ｂに固着する事で磁場拡張因子の層が形成され、同時に筒１Ｂと仕切り板２０間には空間が形成される。
この仕切り板２０の層は配管の大きさにより任意で増減すればよく、この空間内に鋼球３Ｂを投入したのち蓋２Ｃ、２Ｄを筒１Ｂに固着する事で磁石内蔵式磁場拡張器６０を構成する。
蓋２Ｃ、２Ｄは脱着可能な構造でもよい。
【００２８】
このことから外部から磁気を与えることなく、磁石２１の磁気の作用により鋼球３Ｂが磁性体に変態し磁場の同様に磁場の拡張を得る。
また、一定の配列で磁石が配列してあるため鋼球３Ｂが磁性体へと変態した際に表面磁束密度が均一になるため広範囲で、安定した均一な磁場を拡張することができる。
【００２９】
また、外部より磁気を与える事により鋼球３Ｂの磁束密度はより強くなるため更に効果的に磁気処理をすることができる。
磁気処理をする距離も長くなると同時に、先述した磁気処理を効果的にするための定義を全て満足することができる。
【００３０】
筒１Ａ、１Ｂや蓋２Ａ、２Ｂ、２Ｃ、２Ｄの構成要素である貫通穴１０Ａ、１０Ｂ、１０Ｃ、１０Ｄ、１０Ｅ、１０Ｆの形状をスリット状の長穴形状にしても効果を妨げるものではない。
【００３１】
磁場拡張器５０、磁石内蔵式磁場拡張器６０の構成要素である鋼球３Ａ、３Ｂの材質を亜鉛やニッケル等のような常磁性体の材質に代替しても磁気処理の効果を妨げるものではない。
【００３２】
筒１Ａ、１Ｂに磁石を装着してもよく、このような形態にすることで配管の内部に挿入して磁気処理をすることができることになる。
この結果、磁気処理器のハウジングが不要となるため製作経費の削減を図ることが可能になる。
【００３３】
【発明の効果】
本発明は以上のように構成されているので下記に記載する効果を得る。
【００３４】
鋼球の磁性体への変態により、大口径の配管に対する水等の磁気処理をすることができると同時に、製作コストも大幅に削減できる。
【００３５】
また、磁気処理を効果的に行うための定義を満足していること、変態した鋼球による磁場の拡張により磁気処理をする距離の長さの確保により従来の技術手段と比較してはるかに効果的に磁気処理をすることができる。
【００３６】
磁石の配列と鋼球の組み合わせにより、広範囲に渡り均一で安定した磁場を得ることができるため、細部にまで水等の流体を均等に磁気処理することができる。
【００３７】
磁気拡張器から磁気を除去することにより、鋼球を容易に洗浄することが可能になるため汚れの残留を嫌う塗料等の流体や同様の条件を要求する条件の流体に対して活用する事ができる。
【図面の簡単な説明】
【図１】磁場拡張器の構造を示す正面図である。
【図２】磁石内蔵式磁場拡張器の構造を示す正面図である。
【図３】磁石内蔵式磁場拡張器の要部断面図である。
【符号の説明】
１Ａ、１Ｂ・・・筒
２Ａ、２Ｂ、２Ｃ、２Ｄ・・・蓋
３Ａ、３Ｂ・・・鋼球
１０Ａ，１Ｂ，１０Ｃ、１０Ｄ、１０Ｅ、１０Ｆ・・・貫通穴
２０・・・仕切り板
２１・・・磁石
５０・・・磁場拡張器の断面図
６０・・・磁石内蔵式磁場拡張器
【図１】
2004209455.tif 000003
【図２】
2004209455.tif 000004
【図３】
2004209455.tif 000005